(57)【要約】【課題】講師と、受講者と、それらの間を介在するモデレータとの存在を前提として、講師から受講者へとセミナー開催を通じて知識を教授する教授方法であって、受講者の交流促進が図れると共に、受講者が気軽に参加でき、かつ学習効率のよい教授方法を提供すること。【解決手段】セミナー開催に先立ってモデレータが中心となってメーリングリストの会員である受講者間のメールを仲介することにより、モデレータにより予め配布されたセミナー予備知識に関する受講者間の意見交換の場を提供すると共に、セミナー開催の後には、モデレータが中心となってメーリングリストの会員である受講者間のメールを仲介することにより、モデレータにより予め配布されたセミナー講義録に関する受講者間の意見交換の場を提供する。【選択図】      図１
2004205926.tif 000002
【特許請求の範囲】
【請求項１】
講師と、受講者と、それらの間を介在するモデレータとの存在を前提として、講師から受講者へとセミナー開催を通じて知識を教授する教授方法であって、
セミナー開催に先立ってモデレータが中心となってメーリングリストの会員である受講者間のメールを仲介することにより、モデレータにより予め配布されたセミナー予備知識に関する受講者間の意見交換の場を提供するステップと、
セミナー開催の後にあって、モデレータが中心となってメーリングリストの会員である受講者間のメールを仲介することにより、モデレータにより予め配布されたセミナー講義録に関する受講者間の意見交換の場を提供するステップと、
を具備することを特徴とする教授方法。
【請求項２】
請求項１に記載の教授方法を実現するためのサーバ装置に適用されるソフトウェアであって、
管理対象となるメールアドレス宛のメールをインターネットを介して受信するメール受信手段と、
インターネット上のクライアント装置のＷｅｂブラウザとの通信を行うための通信手段と、
前記メール受信手段で受信されたメールの一覧を含むＷｅｂページを前記通信手段を介してクライアント側に提供するメール一覧提供手段と、
クライアント側の所定操作で前記一覧中から選択される１又は２以上のメールを転送すべきメールとして特定する転送メール特定手段と、
クライアント側の所定操作に基づいて予め用意された送信先候補の中から１又は２以上の送信先を特定する送信先特定手段と、
前記送信先特定手段を介して特定された送信先をその転送先とし、かつ、その本文には前記特定されたメールの本文を転写し、かつ、発信元情報が開示されるヘッダ部分には実際の差出元を示す規定アドレスのみを記述した転送用メールを生成する転送用メール生成手段と、
クライアント側からの所定の発信要求を受けて、前記転送用メールを発信するメール発信手段と、
を前記サーバ装置にて機能させるものであり、
それにより、モデレータ側におけるＷｅｂブラウザ上での操作を介して、受講者から送られてきたメールを、当該メールの作成者を秘密にして他の受講者に転送し得るように構成したソフトウェア。
【請求項３】
テキスト文字による本文記入欄、並びに、送信先指定欄を少なくとも具備するメール作成用ページをクライアント側に提供するメール作成用ページ提供手段と、
クライアント側からの所定の指示に応じて、クライアント側で入力乃至指定されたメール作成用ページの本文乃至送信先指定欄の内容を読み込み、当該読み込まれた内容に基づいて新規メールを生成する新規メール生成手段と、
クライアント側からの所定の発信要求に応じて、前記生成された新規メールを発信するメール発信手段と、
を更にサーバ装置にて機能させるように構成した請求項２に記載のソフトウェア。
【請求項４】
転送メール特定手段により特定されたメールの本文をクライアント側で任意編集可能なテキスト文字で表示したテキスト表示欄を含むメール編集用Ｗｅｂページを、クライアント側に提供するメール編集用ページ提供手段と、
クライアント側からの所定の指示に応じて、クライアント側で編集されたテキスト表示欄の内容を読み込み、読み込まれた内容を転送すべき転送用メールの本文内容と特定する本文内容特定手段と、
を更にサーバ装置にて機能させるものであり、
それにより、転送用メールの発信に先だって、モデレータによる本文の編集を行い得るように構成した請求項２又は３に記載のソフトウェア。
【請求項５】
転送メール特定手段により２以上のメールが特定されたときには、１つのテキスト表示欄に、当該２以上のメールの本文が並べて表示されるように構成した請求項４に記載のソフトウェア。
【請求項６】
予め指定された受講者別のメールアドレスとハンドルネームとの対応テーブルを格納した対応テーブル格納手段と、
メール受信手段で受信されたメールの差出人アドレス情報に基づき、前記対応テーブルを検索して、当該メールの差出人のハンドルネームを特定するハンドルネーム特定手段と、
メール編集用Ｗｅｂページをクライアント側に提供するにあたって、前記特定されたハンドルネームをテキスト表示欄中に追記する手段と、
を更にサーバ装置にて機能させるように構成した請求項４に記載のソフトウェア。
【請求項７】
メールアドレス記入欄又はハンドルネーム記入欄を含むＷｅｂページをクライアント側に提供する手段と、
クライアント側からの所定の指示に応じて、クライアント側で入力されたメールアドレス記入欄又はハンドルネーム記入欄の内容を読み込む手段と、
前記読み込まれた記入欄の内容に基づき、前記対応テーブルに記憶された各受講者毎のメールアドレス又はハンドルネームを更新する手段と、
を更にサーバ装置にて機能させるように構成した請求項６に記載のソフトウェア。
【請求項８】
メール発信手段により発信されるメールの本文を逐次読み込み、それら本文を累積的に転写したＷｅｂページを生成する手段、
を更にサーバ装置にて機能させるものであり、
それにより、受講者が、モデレータから発信されたメールの履歴をＷｅｂページを介して閲覧できるように構成した請求項２乃至７に記載のソフトウェア。
【請求項９】
請求項２乃至８の何れかに記載のソフトウェアがインストールされたサーバ装置。
【発明の詳細な説明】
【０００１】
【発明の属する技術分野】
この発明は、講師と、受講者と、それらの間を介在するモデレータの存在を前提として、講師から受講者へとセミナー開催を通じて知識を教授する教授方法並びに当該教授方法をインターネット上で実現するためのサーバ装置に適用されるソフトウェアに係り、特に、受講者の交流促進が図れると共に、受講者が気軽に参加でき、かつ学習効率のよい教授方法並びに当該教授方法をインターネット上で実現するためのサーバ装置に適用されるソフトウェアに関する。
【０００２】
【発明の背景】
昨今、世界中で様々なセミナーが開催されているが、講師が一方的に話をして、多数の受講者がそれを静かに聞くだけといったスタイルは依然として変わっていない。
【０００３】
また、セミナー開催場所には、大凡共通の課題乃至疑問等を抱えた受講者が一時に集まるのであるが、これらの者の間で交流が図れることはほとんどなく、せっかくの情報交換乃至意見交換の機会が何ら利用されることなく終わるのが通常である。これは、セミナーが開催される期間が数時間のみ等、極めて限定されていることからして当然のこととも考えられるが、一方で、対象者（受講者）が社会人ともなると、利害関係に起因する秘匿性も重視されるためと考えられる。
【０００４】
【発明の目的】
この発明は、上述のような背景の下なされたものであり、その目的とするところは、講師と、受講者と、それらの間を介在するモデレータとの存在を前提として、講師から受講者へとセミナー開催を通じて知識を教授する教授方法であって、受講者の交流促進が図れると共に、受講者が気軽に参加でき、かつ学習効率のよい教授方法を提供することにある。
【０００５】
この発明の他の目的とするところは、上述の教授方法における受講者間のメールの仲介をモデレータが簡便に行えるようにしたインターネット上のサーバ装置並びに当該サーバ装置に適用されるソフトウェアを提供することにある。
【０００６】
この発明の更に他の目的乃至作用効果については、以下の明細書の記載を参照することにより、当業者であれば容易に理解されるであろう。
【０００７】
【課題を解決するための手段】
本発明の教授方法は、講師と、受講者と、それらの間を介在するモデレータとの存在を前提として、講師から受講者へとセミナー開催を通じて知識を教授する教授方法を前提としている。
【０００８】
『モデレータ』とは、その和訳からも明らかであるように『司会者』を意味する。ここで言う『司会者』の役割は、大きく２つ挙げられる。その１つは、セミナー開催に先立ってモデレータが中心となってメーリングリストの会員である受講者間のメールを仲介することにより、モデレータにより予め配布されたセミナー予備知識に関する受講者間の意見交換の場を提供することにある。
【０００９】
ここで、『セミナー予備知識』とあるが、具体例としては、セミナーのテーマについての解説情報、或いは当該テーマに係る参考サイト、参考文献又は関連組織の情報等が挙げられる。
【００１０】
『メールを仲介する』とは、モデレータが受講者のメールを一旦受け取り、必要であれば適宜編集を加えた後、そのメールをその他の受講者に送信するような転送態様を指す。このような形態を採ることにより、受講者間の匿名性が確保される。すなわち、通常行われているようにメーリングリストを介してダイレクトに受講者間での意見交換を行おうとすれば、発信元メールアドレスが開示されてしまうため、各受講者の匿名性を確保するのが極めて難しくなることは明らかである（例えば、ドメイン名によって、所属企業先が明らかになってしまう等）。これに対し、本発明では、モデレータを介在させることにより、各受講者に届くメールの発信元メールアドレスはモデレータのものとなるため、各受講者の匿名性を確実に保つことができる。
【００１１】
モデレータのもう１つの大きな役割は、セミナー開催の後にあって、モデレータが中心となってメーリングリストの会員である受講者間のメールを仲介することにより、モデレータにより予め配布されたセミナー講義録に関する受講者間の意見交換の場を提供することにある。
【００１２】
ここで、『セミナー講義録』とあるが、これは、セミナーの講義内容を纏めたものであり、この例では、モデレータによって作成される。このセミナー講義録は、テキスト文字で記載されたメールとして提供（配布）されるのが好ましい。そのようにすれば、受講者は、セミナー講義録をそのまま利用して（メールをコピーして）、パソコンのワープロソフト等で会社へのセミナー報告書等を作成することも容易となる。
【００１３】
このように、本発明の教授方法は、セミナー開催に先立ってモデレータが中心となってメーリングリストの会員である受講者間のメールを仲介することにより、モデレータにより予め配布されたセミナー予備知識に関する受講者間の意見交換の場を提供するステップと、セミナー開催の後にあって、モデレータが中心となってメーリングリストの会員である受講者間のメールを仲介することにより、モデレータにより予め配布されたセミナー講義録に関する受講者間の意見交換の場を提供するステップと、を具備するものであるから、各受講者の匿名性を確保しつつ、それら受講者間でのメールを介した意見交換が可能となる。加えて、これら意見交換は、モデレータにより提供されるセミナーに関する情報（セミナー開催前はセミナー予備知識、セミナー開催後はセミナー講義録）とされるから、受講者は、セミナーを受講するに当たっての予習、並びにその後の復習を効率よく行うことができる。このため、受講者は、セミナーによる学習効果を最大限に高め得るのである。
【００１４】
次に、本発明のソフトウェアは、上述の教授方法を実現するためのサーバ装置に適用されるソフトウェアである。このソフトウェアは、管理対象となるメールアドレス宛のメールをインターネットを介して受信するメール受信手段と、インターネット上のクライアント装置のＷｅｂブラウザとの通信を行うための通信手段と、前記メール受信手段で受信されたメールの一覧を含むＷｅｂページを前記通信手段を介してクライアント側に提供するメール一覧提供手段と、クライアント側の所定操作で前記一覧中から選択される１又は２以上のメールを転送すべきメールとして特定する転送メール特定手段と、クライアント側の所定操作に基づいて予め用意された送信先候補の中から１又は２以上の送信先を特定する送信先特定手段と、前記送信先特定手段を介して特定された送信先をその転送先とし、かつ、その本文には前記特定されたメールの本文を転写し、かつ、発信元情報が開示されるヘッダ部分には実際の差出元を示す規定アドレスのみを記述した転送用メールを生成する転送用メール生成手段と、クライアント側からの所定の発信要求を受けて、前記転送用メールを発信するメール発信手段と、をサーバ装置にて機能させるように構成される。
【００１５】
すなわち、本発明のソフトウェアをサーバ装置に適用すれば、モデレータは、Ｗｅｂブラウザを有するパソコン等（クライアント装置）を使用してサーバ装置と通信を行うことにより、比較的簡便な操作で、受講者から送られてきたメールを、発信元をモデレータ（実際の差出元を示す規定アドレス）として他の受講者に転送することができる。このため、各受講者の匿名性を確実に保ちながら、受講者間のメールを仲介することができる。また、クライアント装置は、Ｗｅｂブラウザを有するものであればよいから、接続先となるサーバ装置のＵＲＬと所定の認証情報のみ覚えておけば、メールソフト（個別の設定が必要）が無くとも上述のような受講者間のメール仲介を行うことができる。
【００１６】
尚、『送信先候補一覧』には、講師を含めるようにすることもできる。そのようにすれば、講師と受講者との間のメールによる質疑応答をモデレータが仲介することができ、この場合にも、両者の匿名性を確保することができる。
【００１７】
本発明のソフトウェアは、好ましくは、テキスト文字による本文記入欄、並びに、送信先指定欄を少なくとも具備するメール作成用ページをクライアント側に提供するメール作成用ページ提供手段と、クライアント側からの所定の指示に応じて、クライアント側で入力乃至指定されたメール作成用ページの本文乃至送信先指定欄の内容を読み込み、当該読み込まれた内容に基づいて新規メールを生成する新規メール生成手段と、クライアント側からの所定の発信要求に応じて、前記生成された新規メールを発信するメール発信手段と、を更にサーバ装置にて機能させるように構成される。
【００１８】
ここで、『送信先指定欄』は、先述した送信先候補から選べるようにすることができる。
【００１９】
このような構成によれば、モデレータは、セミナー開催前後に受講者に配布されるべきセミナー予備知識及びセミナー講義録を、パソコン等のクライアント装置を通じてサーバ装置上で作成し、メールを介してそれらを受講者に配布することができる。
【００２０】
また、本発明のソフトウェアは、好ましくは、前記転送メール特定手段により特定されたメールの本文をクライアント側で任意編集可能なテキスト文字で表示したテキスト表示欄を含むメール編集用Ｗｅｂページを、クライアント側に提供するメール編集用ページ提供手段と、クライアント側からの所定の指示に応じて、クライアント側で編集されたテキスト表示欄の内容を読み込み、読み込まれた内容を転送すべき転送用メールの本文内容と特定する本文内容特定手段と、を更にサーバ装置にて機能させるように構成される。このような構成によれば、転送メール発信手段による転送用メールの発信に先だって、モデレータによる本文の編集を行うことが可能となる。
【００２１】
尚、ここで言う『編集』には、２以上のメールの本文を１つのメールに纏めるような編集も含まれる。したがって、本発明のソフトウェアは、更に好ましくは、転送メール特定手段により２以上のメールが特定されたときには、１つのテキスト表示欄に、当該２以上のメールの本文が並べて表示されるように構成される。
【００２２】
このような構成によれば、２以上のメールの本文をそれぞれ別個にコピーしてテキスト表示欄に各々貼り付けるといった煩わしい作業を行わなくても、自動的にそれらを１つのテキスト表示欄に纏めることができる。尚、纏められたそれらテキスト表示欄の内容は、更に編集することができるものであることは言うまでもない。
【００２３】
また、本発明のソフトウェアは、好ましくは、予め指定された受講者別のメールアドレスとハンドルネームとの対応テーブルを格納した対応テーブル格納手段と、メール受信手段で受信されたメールの差出人アドレス情報に基づき、前記対応テーブルを検索して、当該メールの差出人のハンドルネームを特定するハンドルネーム特定手段と、メール編集用Ｗｅｂページをクライアント側に提供するにあたって、前記特定されたハンドルネームをテキスト表示欄中に追記する手段と、を更にサーバ装置にて機能させるように構成される。
【００２４】
本発明のように、匿名性を確保したメールの仲介をする場合には、他の受講者がいずれかのメールに対する意見等を投稿するにあたり、対象となるメールを特定するための何らかの情報が必要となる。一般に、そのような特定情報としては、発信者を示すハンドルネームが用いられるが、発信者（受講者）によるハンドルネームの書き忘れといった事態を完全に防ぐことはほぼ不可能であり、また、受講者が個々にハンドルネームを本文中に記載した場合には、その記載方法によっては、ハンドルネームの特定が困難となる場合も想定される。そこで、この態様では、上記したようにハンドルネームを自動的にテキスト表示欄に追記するようにしている。このような構成により、モデレータは、ハンドルネームの付け忘れや、ハンドルネームの特定が困難といったような不具合に惑わされることなく、メールの仲介を行うことができる。
【００２５】
ここで、更に好ましくは、本発明のソフトウェアは、メールアドレス記入欄又はハンドルネーム記入欄を含むＷｅｂページをクライアント側に提供する手段と、クライアント側からの所定の指示に応じて、クライアント側で入力されたメールアドレス記入欄又はハンドルネーム記入欄の内容を読み込む手段と、前記読み込まれた記入欄の内容に基づき、前記対応テーブルに記憶された各受講者毎のメールアドレス又はハンドルネームを更新する手段と、を更にサーバ装置にて機能させるように構成される。
【００２６】
このような構成によれば、モデレータへの逐次の連絡を要することなく、受講者は、ハンドルネーム或いは当該ハンドルネームを特定するための差出人アドレスとなるメールアドレスを適宜に変更することができる。
【００２７】
また、本発明のソフトウェアにおいて、好ましくは、メール発信手段により発信されるメールの本文を逐次読み込み、それら本文を累積的に転写したＷｅｂページを生成する手段、を更にサーバ装置にて機能させるように構成される。
【００２８】
このような構成によれば、受講者は、モデレータから発信されたメールの履歴を当該Ｗｅｂページを介して閲覧することができる。
【００２９】
尚、このＷｅｂページは、モデレータが適宜編集できるようにすれば、重複部分を削除して全体の記載量を減らす等の配慮もでき、より好ましいであろう。
【００３０】
【発明の実施の形態】
以下に、本発明に係る教授方法の好適な実施の一形態を添付図面を参照しつつ詳細に説明する。尚、以下の実施の形態は本発明の一例を示すものに過ぎず、言うまでもなく、本発明の要旨は特許請求の範囲によってのみ規定されるものである。
【００３１】
図１は、本発明に係る教授方法を実現するための教授システム１の全体構成を示す図である。同図に示されるように、この教授システム１は、受講者側で各々用意されるコンピュータ２Ａ〜２Ｘと、講師側で各々用意されるコンピュータ３Ａ，３Ｂと、本発明の要部となるサーバ装置５と、これらコンピュータ２Ａ〜２Ｘ，３Ａ，３Ｂ並びにサーバ装置５の間に介在される公衆ネットワーク４と、モデレータ側で用意されるコンピュータ７と、サーバ装置５とモデレータ側コンピュータ７とを結ぶ専用ネットワーク６とにより概略構成されている。
【００３２】
尚、このシステムを利用する受講者は、原則として、予め所定の手続きにより会員登録された受講者のみであり、セミナーの受講者全員がこのシステムを必ずしも利用するわけではなく、またその必要性もない。
【００３３】
この教授システム１を利用して、講師と、受講者と、それらの間を介在するモデレータとの間でメールのやり取りが行われる。より具体的には、受講者に対しては（この例では講師に対しても）、セミナー開催前と開催後とのそれぞれにおいて、以下に示す内容が記載されたメールがモデレータから送信される。
【００３４】
セミナー開催前：
・サービス開設の挨拶
・講師の紹介
・事前予備情報（（予備知識）講演テーマについてのモデレータによる解説、その他参考文献情報等）等の紹介）
【００３５】
セミナー開催後：
・セミナー講義録（講演要旨）の配信
・モデレータから講師への質問
・モデレータの質問に対する講師からの回答
・会場で配布されたアンケートに対する回答の紹介
・お客様（受講者）に対する御礼
【００３６】
これに対し、受講者からは、セミナー開催前には、講演テーマ（予備知識）に関する意見或いは講師への質問等が投稿される。また、セミナー開催後には、セミナー講演内容（セミナー講義録）に関する意見或いは講師への質問等が投稿される。ここで、受講者から講師への質問に対しては、講師からの回答が投稿されるように配慮されている。そして、これら受講者からの投稿、並びに講師からの回答は、他の受講者へもメールを介して開示されるようになっている。そして、これらメールのやり取りを通じて、受講者には、セミナーについての予習並びに復習の場（受講者間の意見交換の場）が提供されることとなる。
【００３７】
尚、受講者並びに講師のメール投稿方法は２通り用意されている。１つはメーリングリスト（以下、ＭＬという）宛への投稿であり、他の１つはモデレータ宛への投稿である。
【００３８】
モデレータ宛のメールは、この例では、匿名（差出元アドレスを秘匿とする）を希望する者が使用するメールと位置付けられている。すなわち、このモデレータに宛てられたメール（以下匿名メールという）は、必要に応じてモデレータの手により適宜に編集されてから、他の受講者に一斉送信される。
【００３９】
一方、ＭＬに宛てられたメール（以下ＭＬ宛メールという）は、サーバ装置５内で自動複製され、他の会員に同報一斉送信される。この場合、モデレータによる編集等を介さないため、より迅速に送信されると言えるが、差出元アドレスが開示されるため、非匿名となることはやむを得ない。尚、発明者独自の事前調査によれば、９割以上の受講者が、このような匿名アドレス乃至匿名メールの必要性を感じていることが確認されている。
【００４０】
図１に戻り、受講者側コンピュータ２Ａ〜２Ｘ，講師側コンピュータ３Ａ，３Ｂには、何れも市販のメールソフト（所謂メーラー）を有するものが適用されている。尚、モデレータ側コンピュータ７についてはメーラーは特に必要とされない。この例では、後述するように、モデレータによるメールの閲覧・作成・編集・送受信等は、Ｗｅｂブラウザを通じてすべてサーバ装置５において行われるようにされているためである。
【００４１】
また、受講者側コンピュータ２Ａ〜２Ｘ，講師側コンピュータ３Ａ，３Ｂ並びにモデレータ側コンピュータ７には、いずれも市販のＷｅｂブラウザを有するものが適用される。これは、後述するように、サーバ装置５への接続（アクセス）にＷｅｂブラウザが必須となるためである。
【００４２】
尚、この例では、実施形態におけるセミナーの講師が２名（○○講師、□□講師）とされているため、講師側コンピュータが２台（２Ａ，２Ｂ）示されているが、講師の数をこれに限定するものではない。また、図１においては、サーバ装置５へのモデレータ側コンピュータ７への接続安定性の向上を図るため、専用ネットワーク６を使用しているが、両者の接続には公衆ネットワークを使用することもできる。
【００４３】
本発明の要部となるサーバ装置５は、管理対象となるメールアドレス宛のメールをネットワーク４を介してＳＭＴＰ（Simple Mail Transfer Protocol）に従って受信するメール受信機能を具備するものである。ここで言う『管理対象となるメールアドレス』とは、先述した『ＭＬのアドレス』と、匿名投稿を希望するものが使用する『モデレータのアドレス』の２つである。
【００４４】
サーバ装置５は、この他にも、ＨＴＴＰ（HyperText Transfer Protocol）に従ったＷｅｂブラウザとの通信を通じて、受信された匿名メールの編集或いは新規メールの作成を行うメール編集・作成機能を初めとして各種の機能を兼ね備えているが、これらの詳細については、順を追って説明するものとする。
【００４５】
サーバ装置５が有するデータベース５００に格納されるデータの内容が図２に表形式で示されている。
【００４６】
同図に示されるように、データベース５００には、会員登録されたすべての受講者と、講師と、モデレータについての所定情報が格納されている。
【００４７】
より詳細には、受講者については、会員番号と、氏名と、メールアドレスと、ハンドルネームと、申込形態と、暗証番号とに係る情報がそれぞれ格納されている。これら情報の内、『会員番号』以外はすべて会員からの指定に基づき決定される情報である。
【００４８】
『メールアドレス』は、サーバ装置５から送信されるメール（ＭＬ或いはモデレータからのメール）の宛先ともなるメールアドレスである。
【００４９】
『ハンドルネーム』は、『メールアドレス』と対応づけられて記憶されるものであり、サーバ装置５で受信されるメールの差出元アドレスから差出人のハンドルネームを特定する際に使用される。
【００５０】
『申込形態』は、サービス（教授システム１）の利用期間（セミナー開催前のみの利用、セミナー開催後のみの利用、セミナー前後双方の利用）を示すものであり、申込段階で決定される。この例では、“１”はセミナー開催前のみの利用申込を、“２”はセミナー開催後のみの利用申込を、“３”はセミナー開催前後の双方の利用申込をそれぞれ示している。この情報は、サーバ装置５における後述するメール振り分け処理（図３のフローチャート参照）で使用される。
【００５１】
また、『会員番号』並びに『暗証番号』は、受講者がサーバ装置５にアクセスして後述する送信履歴表示ページの閲覧やハンドルネームの変更を行う際の認証処理で使用される。
【００５２】
一方、講師については、会員番号と、氏名と、メールアドレスと、ハンドルネームと、暗証番号とに係る情報がそれぞれ格納されている。この例では、後述する送信履歴表示ページの閲覧を講師も行えるようにするため、講師にも、会員番号（この例ではサーバ装置５が一般会員と講師とを識別できるようにするため１０００番台が付与されている）と暗証番号とが付与されている。
【００５３】
講師についての『メールアドレス』と『ハンドルネーム』との対応付けは、サーバ装置５で受信されたメールの差出元アドレスから講師を特定する際等に使用される。詳細については必要に応じて適宜後述するものとする。尚、講師については、申込形態情報は一切不要であるため、記述は“なし”とされている。
【００５４】
また、モデレータについては、会員番号と、メールアドレスと、ハンドルネームと、暗証番号とに係る情報がそれぞれ格納されている。『会員番号』並びに『暗証番号』は、モデレータがサーバ装置５にアクセスしてメールの作成や編集等を行う際の認証処理で使用される。
【００５５】
モデレータについての『メールアドレス』と『ハンドルネーム』との対応付けは、本実施形態では直接必要とはされないが、念のため記述されている。尚、モデレータについても、申込形態情報は一切不要であるため、記述は“なし”とされている。
【００５６】
尚、必要に応じて、モデレータが、会員や講師の個人情報を適宜確認できるようにするために、更に他の情報（例えば電話番号等）を個別に対応付けてデータベース５００に格納しておくようにしてもよいであろう。
【００５７】
匿名メール受信時におけるサーバ装置５によるメール振り分け処理の内容が図３のフローチャートにより示されている。先に説明すると、本実施の形態では、匿名メールは、幾つかのホルダに分類されて保存されるようになっている。これは、後述するモデレータによる匿名メール閲覧時（図７等参照）の利便性の向上を図るための、いわば「メール振り分け格納機能」である。
【００５８】
具体的には、図３のフローチャートに示されるように、サーバ装置５において匿名メールが受信されると、まず、メールのヘッダ部から差出人アドレスが判別され（ステップ３０１）、このアドレス情報に基づいてデータベース５００に送信者の問い合わせが行われる（ステップ３０２）。ここで、判別された差出人アドレス情報が、データベース５００に講師のメールアドレスとして格納されている場合には（ステップ３０３ＹＥＳ）、そのメールは『講師用ホルダ』に保存される（ステップ３０４）。
【００５９】
また、判別された差出人アドレス情報が、データベース５００に会員（受講者）のメールアドレスとして格納されている場合には（ステップ３０３ＮＯ，ステップ３０５ＹＥＳ）、次いで、その受講者についての申込形態情報と、当日の日付とに基づき、その受講者の申込期間内の利用であるか否かが判別される（ステップ３０６）。ここで、申込期間内の利用であると判定されると（ステップ３０６ＹＥＳ）、そのメールは『受講者用ホルダ』に保存される。一方、期間外の利用であると判定された場合には（ステップ３０６ＮＯ）、『期間外ホルダ』に保存される（ステップ３０７）。
【００６０】
このように、本実施形態では、例えば、セミナー開催後のみの利用申込であるにも拘わらず、セミナー開催前にもシステムを利用しているような受講者を検出することができる。尚、そのような受講者には、その旨を別途個別にメール等で伝えて、新たな申込を行うように促すようにする。これは、この例では申込形態毎に料金を徴収していることにも起因する。
【００６１】
また、ステップ３０１において判別された差出人アドレス情報がデータベースに無い場合には（ステップ３０３ＮＯ，ステップ３０５ＮＯ）、間違いメール或いは会員以外の者による不正利用メールとして、『その他ホルダ』に保存する（ステップ３０９）。
【００６２】
次に、モデレータ側コンピュータ７のＷｅｂサーバと、サーバ装置５との通信を通じて実行されるサーバ装置５における各種処理の内容について順に説明する。
【００６３】
サーバ装置５との通信は、モデレータ専用Ｗｅｂサイトを通じて行われる。図４は、モデレータ専用Ｗｅｂサイトへのアクセス要求があった場合にサーバ装置５において実行されるモデレータアクセス時処理の内容を示すフローチャートである。
【００６４】
モデレータ専用Ｗｅｂサイトへのアクセス要求は、Ｗｅｂブラウザ上での所定のＵＲＬの入力により行われる。このＵＲＬは、図５に示されるモデレータ認証ページ（いわば、モデレータ専用Ｗｅｂサイトのホームページ）のＵＲＬである。すなわち、モデレータ側からのアクセス要求があると、モデレータ側コンピュータ７には、図５に示されるモデレータ認証ページが表示される（ステップ４０１）。
【００６５】
図５に示されるように、モデレータ認証ページ５０には、識別番号（図２に示したモデレータに対応する会員番号（１２３４５６７８））入力欄５１と、暗証コード（図２に示したモデレータに対応する“暗証”（ＳＵＧＩＹＡＭＡ））入力欄５２と、ログインボタン５３とが示される。
【００６６】
入力欄５１にモデレータ識別番号を、入力欄５２に暗証番号をそれぞれ入力し、ログインボタン５３をクリックすると、それら入力番号が読み込まれ（ステップ４０２）、次いで、データベース５００に入力番号の組合せが登録されたものであるか否かの問い合わせが行われる（ステップ４０３（認証処理））。認証が正常に行われると（ステップ４０３ＹＥＳ）、モデレータ側コンピュータ７には、図６に示される処理種別選択ページが表示される（ステップ４０５）。尚、認証が正常に行われなかったときには（ステップ４０３ＮＯ）、所定の認証エラー表示が行われて（ステップ４０４）処理は一旦終了する。
【００６７】
図６に示されるように、処理種別選択ページ６０には、“メール閲覧・作成”の文字で示されるメール閲覧・編集ボタン６１と、“ＭＬ閲覧”の文字で示されるＭＬ閲覧ボタン６２と、“送信履歴表示”の文字で示される送信履歴表示ボタン６３と、“個人情報ファイル”の文字で示される個人情報ファイルボタン６４が配置されている。ここで、モデレータが何れかのボタンをクリック（選択）すると、その選択が読み込まれ（ステップ４０６）、次いで、選択別（各種別）の処理が行われる（ステップ４０７）
【００６８】
メール閲覧・作成ボタン６１は、モデレータが、匿名メールの閲覧、編集、或いは新規メールの作成、及びメールの送信等々を行う際に選択されるボタンであり、このボタンが選択された場合には、モデレータ側コンピュータ７には、図７に示されるメール一覧ページが表示（サーバ装置５から送信）される。同図に示されるように、このメール一覧ページ７０には、メール選択欄７１と、本文表示欄７２と、ホルダ選択欄７３と、ファンクションボタン選択欄７４とが設けられている。
【００６９】
先ず、ホルダ選択欄７３について説明する。ホルダ選択欄７３には、先に図３のフローチャートに示したメール振り分け格納処理において使用された４つのホルダ（『受講者用ホルダ』（“受講者”），『講師用ホルダ』（“講師”），『期間外ホルダ』（“期限切れ”）、『その他ホルダ』“その他”）を示す表示がなされている。各表示はそれぞれ選択ボタン７３１〜７３４になっており、いずれかのボタンを選択すると、そのホルダに保存されている匿名メール（モデレータ宛に送られてきたメール）が、メール選択欄７１に一覧表示される。
【００７０】
尚、同表示欄７３に“書きかけ”の文字で示されるボタンは『書きかけホルダ』の選択ボタン７３５であり、同ホルダには、モデレータによる編集乃至作成が中断された編集中メール或いは新規作成途中メールが一時的に保存される。また、同表示欄７３に“送信済み”の文字で示されるボタンは『送信済みホルダ』の選択ボタン７３６であり、同ホルダには、送信済みのメールが保存される。これら選択ボタン７３５、７３６についても同様に、いずれかのボタンが選択されると、そのホルダに保存されているメールがメール選択欄７１に一覧表示されるようになっている。
【００７１】
すなわち、メール選択欄７１には、ホルダ選択欄７３から選ばれた何れか１つのホルダに格納されているメールの一覧が表示される。図７に示す例では、５つのメールが一度に表示されており（右側のスクロールバー７１６をドラッグすることによりすべて表示させることができる）、各メール毎に、受信日時、発信元のメールアドレス（“アドレス”）、メールのタイトル（“タイトル”）が表示されている。
【００７２】
メール選択欄７１の左端に示される５つの“四角マーク”は、各メールに対応するチェックボックス７１１〜７１５であり、同図では、上から１番目と上から３番目のメールのチェックボックスが既に選択された状態が示されている。この例では、選択されたチェックボックスが複数あるときには、各チェックボックスに対応するメールの本文が、本文表示欄７２に上から順に同時に表示されるようになっている。したがって、図７に示される状態にあっては、本文表示欄７２には、上から１番目と上から３番目のメールの本文が並べて表示されている。
【００７３】
また、メール選択ページ７０の上部に設けられたファンクションボタン選択欄７４には、転送ボタン７４１、返信ボタン７４２並びに新規作成ボタン７４３がそれぞれ示されている。転送ボタン７４１は、メール選択欄７１からチェックボックスを介して選ばれたメールの転送時に使用されるものであり、返信ボタン７４２は、メール選択欄７１から選ばれたメールの返信時（この場合は１つのチェックボックス（メール）しか選択できないようにされている）に使用されるものであり、新規作成ボタン７４３は、新規メールを作成するとき使用されるものである。
【００７４】
ここでは、本発明の要部となる転送ボタン（転送メール作成機能）について詳細を説明し、通常のメーラーとほぼ同一構成の返信メール作成機能に係る返信ボタン７４２、並びに新規メール作成機能に係る新規作成ボタン７４３についてはその詳細説明を省略する。
【００７５】
転送ボタン７４３は、詳細には、匿名メールを他の受講者に（この例では講師にも）一斉転送する際に使用される。転送ボタン７４３が選択されると、図８のフローチャートに示される匿名メール転送時処理が開始される。
【００７６】
同フローチャートに示されるように、匿名メール転送時処理において、サーバ装置５の側では、先ず、そのときのメール選択欄７１のチェックボックスを介して選ばれている対象メールの発信元アドレスに基づき、データベース５００に対してそのメールの（複数のときはそれぞれの）発信者のハンドルネームの問い合わせが行われ、これによりハンドルネームが特定される（ステップ８０１）。次いで、対象メールの本文並びにそのメールの受信日が読み込まれ（ステップ８０２）、特定されたハンドルネーム、本文並びに受信日とに基づくメール編集用ページが作成されてモデレータ側コンピュータ７の側に送信される（モデレータ側コンピュータ７に表示される）。ここで、後述する送信ボタンが選択されるまで、一旦待機状態となる（ステップ８０４ＮＯ、ステップ８０５）。
【００７７】
編集用ページの一例が図９に示されている。同図に示されるように、編集用ページ９０には、本文編集表示欄９１と送信先表示欄９２とが設けられている。
【００７８】
図９に示される編集用ページ９０は、先に図７で示したメール選択ページ７０に準ずるものであり、２つのメール（メール選択欄７１の上から１番目と３番目のメール）の本文が本文編集表示欄９１中に並べて設けられている。そして、それら２つの本文の頭（上部中央）には、それぞれ、受信日とハンドルネームとが表示されている。すなわち、ステップ８０３においては、ステップ８０１，８０２で特定された受信日とハンドルネームと本文とに基づき、『受信日』と『ハンドルネーム』と『本文』とが表示された本文編集表示欄９１が作成される。この本文編集表示欄９１は、テキストボックスとなっており、モデレータによる自由編集が可能である。例えば、匿名メールであるにも拘わらず、本人を特定できるような記載があった場合にはそれを削除し、或いは明らかな誤字脱字があった場合にはそれを修正する等の編集が可能である。
【００７９】
一方、編集用ページ９０の送信先表示欄９２には、送信先名称が表示される。この例では、同表示欄９１には、この例ではデフォルトである『会員』、『○○講師』、『□□講師』（全て）が示されているが、当該送信先は、送信先一覧表から選択することもできる。送信先一覧表は、同図中符号９３で示される一覧表示ボタン９３を選択することで別ページ中に示されるものである。図示は省略するが、送信先一覧表には、データベース５００に登録された会員と講師のアドレス並びにハンドルネームに基づき自動作成される選択肢一覧が表示される。
【００８０】
尚、選択肢一覧中で選択肢“会員”を選択すると、千番台が“０”の会員番号に対応するアドレスが全て選択されることとなっている。表示欄９１に“会員”が示されているときはこの選択がなされていることを意味している。また、選択肢一覧中で選択肢“全て”を選択すると、モデレータを除く全てのアドレスが選択されることとなっている。図９の表示欄９１中に示される“会員，○○講師，□□講師”は、この“全て”が選択されたとき表示されるものと同一である。
【００８１】
また、編集用ページ９０中に“保存”の文字で示されるのは保存ボタン９５とを示している。保存ボタン９５は、編集中のメールを一時保存する際に使用されるボタンであり、編集用ページ９０における編集中に、この保存ボタン９５を選択すると、その送信予定メールの本文（本文編集表示欄９１の内容）は、諸情報（送信先等）と共に先に説明した書きかけホルダに格納される。
【００８２】
また、編集用ページ９０に“送信”の文字で示されるのは送信ボタン９４を示している。図８のフローチャートに戻り、この送信ボタン９４が選択されると（ステップ８０４ＹＥＳ）、サーバ装置５の側では、その時点の編集用ページ９０の本文（本文編集表示欄９１の内容）と、送信先表示欄９２に示された送信先アドレスとを読み込み（ステップ８０６）、発信元情報が開示されるヘッダ部分にはモデレータのアドレスのみが記述された転送用メールを生成して、インターネット４へ向けて送信する（ステップ８０７）。尚、ここで、『発信元情報が開示されるヘッダ部分』とは、具体的には、『Ｆｒｏｍ』、『Ｓｅｎｄｅｒ』等を指している。
【００８３】
本実施形態では、このように、匿名メールは、発信者をモデレータとして他の受講者へと一斉送信（転送）されるため、メール作成者がＭＬを使用して他の受講者へ一斉送信する場合と違い、アドレス情報はモデレータのもの以外開示されないから、完全な匿名性を確保することを可能としている。
【００８４】
次いで、送信履歴データにステップ８０７で送信したメールの本文データを追加して（ステップ８０８）、匿名メール転送時処理は終了する。ここで『送信履歴データ』について説明する。
【００８５】
送信履歴データとは、図６に示した処理種別選択ページ６０の送信履歴表示ボタン６３を選択したときにモデレータ側コンピュータ７に表示される送信履歴表示ページのための基礎データであり、モデレータ側コンピュータ７の側での操作によりサーバ装置５から一斉送信された全てのメール（編集されたメール、新規メール共）の本文内容が累積的に転写されたＨＴＭＬ形式のデータである。このデータに基づき作成される送信履歴表示ページは、後述するように、受講者もＷｅｂブラウザを介して閲覧可能とされている。
【００８６】
送信履歴表示ページの一例が図１０に示されている。送信履歴表示ページ１００には、モデレータ操作によりサーバ装置５で作成され一斉送信された全てのメールの本文が古いものから順に並べて表示されている。同図の例では、平成１４年１１月１５日付けのモデレータからの挨拶メールを先頭に、平成１４年１１月１９日付けの○○講師の回答メールまでが掲載されている。
【００８７】
尚、この送信履歴表示ページは、モデレータによる編集が可能とされている。編集は、送信履歴表示ページ１００の左上に“編集”の文字で示される編集ボタン１０１を選択することにより行われる。
【００８８】
同編集ボタン１０１を選択すると、モデレータ側コンピュータ７には図１１に示されるソース編集ページが表示される。このソース編集ページ１１０は右側約９割がテキストボックス化されており、テキストボックスには送信履歴表示ページ１００のソースデータがテキスト文字（ＨＴＭＬ形式）で表示される。すなわち、ソース編集ページはモデレータによる自由編集が可能である。具体的には、このテキストボックスに表示されたソースデータの任意編集を行った後、同ページ１１０の左上に“更新”の文字で示される更新ボタン１１１を選択すると、サーバ装置５側のソースデータが更新され、これにより、モデレータ側コンピュータ７には、編集後のソースデータに基づく新たな内容の送信履歴表示ページが表示される。
【００８９】
尚、更新ボタン１１１の下の“キャンセル”の文字で示されるのはキャンセルボタン１１２であり、送信履歴表示ページに戻りたい場合や、編集中の内容を無効にしたい場合等に選択される。
【００９０】
このように、送信履歴表示ページは、例えば、明らかな誤字脱字をあとから（編集時に気づかずに、送信履歴表示ページに表示されてから）発見した場合にもそれを修正する等の編集が可能である。
【００９１】
尚、図６に戻り、処理種別選択ページ６０のＭＬ閲覧ボタン６２は、ＭＬで転送された全てのメールの本文内容が累積的に転写されたＭＬ履歴表示ページを閲覧したい場合に使用される。また、同ページ６０の個人情報ファイルボタン６４は、データベース５００に格納された個人情報を閲覧したい場合に使用される。これらについては、本発明の要部とは直接関係しないため、ここでの詳細説明は省略する。
【００９２】
次に、受講者側コンピュータ２（講師側コンピュータ３でも可）のＷｅｂサーバと、サーバ装置５との通信を通じて実行されるサーバ装置５における各種処理の内容について説明する。尚、先に説明しておくと、この通信は、送信履歴表示ページの閲覧又はハンドルネームの変更のために行われるものである。
【００９３】
受講者側コンピュータ２のＷｅｂサーバとサーバ装置５との通信は、会員専用Ｗｅｂサイトを通じて行われる。図１２は、会員専用Ｗｅｂサイトへのアクセス要求があった場合にサーバ装置５において実行される会員アクセス時処理の内容を示すフローチャートである。
【００９４】
会員専用Ｗｅｂサイトへのアクセス要求は、Ｗｅｂブラウザ上での所定のＵＲＬの入力により行われる。このＵＲＬは、図１３に示される会員認証ページ（いわば、会員専用Ｗｅｂサイトのホームページ）のＵＲＬである。すなわち、受講者側からのアクセス要求があると、受講者側コンピュータ２には、図１３に示される会員認証ページが表示される（ステップ１２０１）。
【００９５】
図１３に示されるように、会員認証ページ１３０には、会員番号入力欄１３１と、暗証コード（同図に示される例では、図２に示した会員番号“０００１”に対応する“暗証”（ＡＡ１１））入力欄１３２と、ログインボタン１３３とが示される。
【００９６】
入力欄１３１に会員識別番号を、入力欄１３２に暗証番号をそれぞれ入力し、ログインボタン１３３をクリックすると、それら入力番号が読み込まれ（ステップ１２０２）、次いで、データベース５００に入力番号の組合せが登録されたものであるか否かの問い合わせが行われる（ステップ１２０３（認証処理））。認証が正常に行われると（ステップ１２０３ＹＥＳ）、受講者側コンピュータ７には、図１４に示される処理種別選択ページが表示される（ステップ１２０５）。尚、認証が正常に行われなかったときには（ステップ１２０３ＮＯ）、所定の認証エラー表示が行われて（ステップ１２０４）処理は一旦終了する。
【００９７】
図１４に示されるように、処理種別選択ページ１４０には、“送信履歴表示”の文字で示される送信履歴表示ボタン１４１と、“ハンドルネーム変更”の文字で示されるハンドルネーム変更ボタン１４２が配置されている。ここで、モデレータが何れかのボタンを選択すると、その選択が読み込まれ（ステップ１２０６）、次いで、選択別の処理（送信履歴表示処理又はハンドルネーム変更時処理）が行われる（ステップ１２０７又はステップ１２０８）。
【００９８】
ステップ１２０７で示される送信履歴表示処理は、受講者側コンピュータ２に、先に説明した送信履歴表示ページ１００（図１０参照）とほぼ同一内容のページを送信する処理である。尚『ほぼ同一内容』とあるように、受講者側コンピュータ２に表示される送信履歴表示ページには、送信履歴表示ページ１００には設けられている編集ボタン１０１がない。すなわち、この例では、受講者は、送信履歴表示ページの編集は不可能とされている。
【００９９】
ステップ１２０８で示されるハンドルネーム変更時処理の詳細が図１５のフローチャートにより示されている。図１４に示されるハンドルネームの変更ボタン１４２が選択されると、受講者側コンピュータ２には、図１６に示されるハンドルネーム変更用ページが表示される（ステップ１５０１）。ここで、後述する決定ボタンが選択されるまで、一旦待機状態となる（ステップ１５０２ＮＯ、ステップ１５０３）。
【０１００】
このハンドルネーム変更用ページ１６０には、テキストボックス化された新ハンドルネーム入力欄１６１と、“決定”の文字で示される決定ボタン１６２が配置されている。また、これらボタン１６１，１６２の上部には、その受講者の現在のハンドルネーム『ＡＡＡＡ』と、案内文『変更をご希望の場合は、新たなハンドルネームを入力し、決定ボタンをクリックしてください。』がそれぞれ表示されている。
【０１０１】
ここで、受講者が、新ハンドルネーム入力欄１６１に所望する新たなハンドルネームを入力し、決定ボタンをクリックすると（ステップ１５０２ＹＥＳ）、サーバ装置５の側で、入力欄１６１に入力された新ハンドルネームが読み込まれ（ステップ１５０４）、データベース５００の該当箇所に記録されたハンドルネームが、読み込まれた新ハンドルネームに書き換えられる（ステップ１５０５）。次いで、図示しない確認ページが受講者側コンピュータ２に表示されて（ステップ１５０６）、処理は一旦終了する。
【０１０２】
尚、詳細説明は省略するが、新ハンドルネーム記入欄１６１を空白にして決定ボタン１６２をクリックした場合には、該当する受講者のデータベース５００のハンドルネーム欄が空白（データなし）となり、この場合、先に転送メール作成機能の説明の際に示した本文編集表示欄（図９参照）には、ハンドルネームは表示されず、受信日時のみが表示されることとなる。
【０１０３】
このように、本実施形態にあっては、受講者は、ハンドルネームを適宜変更することができ、更には、転送メールへのハンドルネームの表示すら拒否できるため、匿名性はより一層向上される。
【０１０４】
尚、上述の実施の形態においては、送信履歴表示ページ１００には、モデレータにより転送されたメールの本文のみを累積的に転写するものとしたが、ＭＬによる転送メールの本文も、併せて送信履歴表示ページに表示されるようにしてもよい。
【０１０５】
また、送信履歴表示ページ１００は、会員であれば誰でも閲覧できるようにしたが、この送信履歴表示ページに市販されている各種の著作権保護ソフト（例えば、スキルアップジャパン株式会社の『ＤＲ−ＰＲＯＶＩＤＥＲ』等）を適用すれば、受講者側での印刷（打ち出し）乃至Ｗｅｂページのコピー等ができないようにすることも可能である。
【０１０６】
また、本発明は、セミナーに関する教授システムみならず、例えば、社内ＬＡＮ（Local Area Network）を利用した社員研修のための教授システムや、学習塾における予習復習のための教授システムとして実現（応用）することも可能である。そのような場合における具体的実施形態は、上述した教授システム１を参照することにより、当業者であれば容易に想到されるであろう。
【０１０７】
【発明の効果】
以上の説明で明らかなように、本発明の教授方法によれば、各受講者の匿名性を確保しつつ、それら受講者間でのメールを介した意見交換が可能となるから、受講者も気軽に参加でき、受講者同士の交流促進が図られる。加えて、これら意見交換は、モデレータにより提供されるセミナーに関する情報とされるから、受講者は、セミナーを受講するに当たっての予習、並びにその後の復習を効率よく行うことができる。
【０１０８】
更に、本発明のソフトウェアをサーバ装置に適用すれば、上記の教授方法における受講者間のメールの仲介をモデレータが簡便に行うことが可能となる。
【図面の簡単な説明】
【図１】本発明に係る教授システムの全体構成を示す図である。
【図２】データベースに格納されるデータの内容を表形式で示す図である。
【図３】匿名メール受信時におけるサーバ装置におけるメール振り分け処理の内容を示すフローチャートである。
【図４】モデレータ専用Ｗｅｂサイトへのアクセス要求があった場合にサーバ装置において実行されるモデレータアクセス時処理の内容を示すフローチャートである。
【図５】モデレータ認証ページの一例を示す図である。
【図６】処理種別選択ページの一例を示す図である。
【図７】メール一覧ページの一例を示す図である。
【図８】匿名メール転送時処理の内容を示すフローチャートである。
【図９】編集用ページの一例を示す図である。
【図１０】送信履歴表示ページの一例を示す図である。
【図１１】ソース編集ページの一例を示す図である。
【図１２】会員専用Ｗｅｂサイトへのアクセス要求があった場合にサーバ装置において実行される会員アクセス時処理の内容を示すフローチャートである。
【図１３】会員認証ページの一例を示す図である。
【図１４】処理種別選択ページの一例を示す図である。
【図１５】ステップ１２０８で示されるハンドルネーム変更時処理の詳細を示すフローチャートである。
【図１６】ハンドルネーム変更用ページの一例を示す図である。
【符号の説明】
１    教授システム
２    受講者側コンピュータ
３    講師側コンピュータ
４    公衆ネットワーク
５    サーバ装置
６    専用ネットワーク
７    モデレータ側コンピュータ
５０    モデレータ認証ページ
５１    識別番号入力欄
５２    暗証コード入力欄
５３    ログインボタン
６０    処理種別選択ページ
６１    メール閲覧・編集ボタン
６２    ＭＬ履歴ボタン
６３    送信履歴表示ボタン
６４    個人情報ファイルボタン
７０    メール一覧ページ
７１    メール選択欄
７２    本文表示欄
７３    ホルダ選択欄
７４    ファンクションボタン選択欄
９０    編集用ページ
９１    本文編集表示欄
９２    送信先表示欄
９３    一覧表示ボタン
９４    送信ボタン
９５    保存ボタン
１００    送信履歴表示ページ
１０１    編集ボタン
１１０    ソース編集ページ
１１１    更新ボタン
１１２    キャンセルボタン
１３０    会員認証ページ
１３１    会員番号入力欄
１３２    暗証コード入力欄
１３３    ログインボタン
１４０    処理種別選択ページ
１４１    送信履歴表示ボタン
１４２    ハンドルネーム変更ボタン
１６０    ハンドルネーム変更用ページ
１６１    新ハンドルネーム入力欄
１６２    決定ボタン
５００    データベース
７１１〜７１５    チェックボックス
７１６    スクロールバー
７３１〜７３６    ホルダ選択ボタン
７４１    転送ボタン
７４２    返信ボタン
７４３    新規作成ボタン
【図１】
2004205926.tif 000003
【図２】
2004205926.tif 000004
【図３】
2004205926.tif 000005
【図４】
2004205926.tif 000006
【図５】
2004205926.tif 000007
【図６】
2004205926.tif 000008
【図７】
2004205926.tif 000009
【図８】
2004205926.tif 000010
【図９】
2004205926.tif 000011
【図１０】
2004205926.tif 000012
【図１１】
2004205926.tif 000013
【図１２】
2004205926.tif 000014
【図１３】
2004205926.tif 000015
【図１４】
2004205926.tif 000016
【図１５】
2004205926.tif 000017
【図１６】
2004205926.tif 000018